【事件の表示】
　特願２００１−２９０２６０「ＤＶＤオーディオディスク」拒絶査定不服審判事件〔平成１４年　５月１７日出願公開、特開２００２−１４０８７２〕について、次のとおり審決する。
【結　論】
　本件審判の請求は、成り立たない。
【理　由】
第１　手続の経緯の概要
　本件出願（以下、「本願」という。）は、パリ条約による優先権主張（大韓民国、平成９年３月２５日（１９９７１０３３０）、平成９年１０月９日（１９９７５１８６１））を伴って平成１０年３月２５日に出願した特願平１０−９８４８９号の一部を平成１３年９月２１日に新たな特許出願としたものであって、平成１６年２月２日付けで明細書の手続補正がなされ、平成１６年６月２２日付けで拒絶査定がなされたところ、平成１６年９月２７日に拒絶査定不服審判が請求されるとともに、平成１６年１０月２７日付けで明細書の手続補正がなされたものである。
　
第２　平成１６年１０月２７日付け手続補正についての補正却下の決定
［補正却下の決定の結論］
　平成１６年１０月２７日付け手続補正（以下、「本件補正」という。）を却下する。
　
［理由］
１．本件補正についての補正の内容
　本件補正は、明細書の特許請求の範囲についてするもので、本件補正前は、
（ａ）「【請求項１】　ＤＶＤオーディオゾーンを備えるデータ領域を持つＤＶＤオーディオディスクであって、前記ＤＶＤオーディオ域は、
　オーディオタイトル（ＡＴＳ）は、連続的なオーディオオブジェクト（ＡＯＢｓ）が後に続くオーディオタイトル情報（ＡＴＳＩ）を備え、
　オーディオ管理（ＡＭＧ）は、前記ＡＴＳの情報を備え、
　前記ＡＴＳＩは、オーディオストリームアトリビュートを備え、各オーディオストリームアトリビュートは、
　　オーディオ符号化モードと、
　　再生されるデータに対応する第１あるいは第２あるいは第３の量子化ビット数と、
　　再生されるデータに対応する第１あるいは第２あるいは第３あるいは第４あるいは第５あるいは第６のサンプリング周波数と、
　　再生されるデータのオーディオチャネル数に関する復号化アルゴリズム情報とを示し、
　前記ＡＯＢｓの各々は、オーディオストリームアトリビュート内に記憶される復号化アルゴリズムに対するオーディオデータと共に記録されるオーディオパックを含み、
前記第１から第６のサンプリング周波数のうちの一つは１９２ＫＨｚである
　ことを特徴とするＤＶＤオーディオディスク。
　　【請求項２】　前記オーディオ符号化モードは、線形パルス符号変調（ＰＣＭ）オーディオであり、第１から第３の量子化ビット数は、それぞれ１６ビット、２０ビット、２４ビットであり、第１から第６のサンプリング周波数は、それぞれ４８ＫＨｚ、９６ＫＨｚ、１９２ＫＨｚ、４４．１ＫＨｚ、８８．２ＫＨｚ、１７６．４ＫＨｚであることを特徴とする請求項１記載のＤＶＤオーディオディスク。
　　【請求項３】　前記オーディオ符号化モードは、圧縮符号化システムであり、圧縮前のオーディオデータの前記第１から第３の量子化ビット数は、それぞれ１６ビット、２０ビット、２４ビットであり、第１から第６のサンプリング周波数は、それぞれ４８ＫＨｚ、９６ＫＨｚ、１９２ＫＨｚ、４４．１ＫＨｚ、８８．２ＫＨｚ、１７６．４ＫＨｚであることを特徴とする請求項１記載のＤＶＤオーディオディスク。
　　【請求項４】　前記第１から第６のサンプリング周波数は、少なくとも１００Ｋｈｚ以上のサンプリング周波数を備えることを特徴とする請求項１記載のＤＶＤオーディオディスク。
　　【請求項５】　前記第１から第６のサンプリング周波数の内、２個は１９６ＫＨｚと１７６．４ＫＨｚを備えることを特徴とする請求項１記載のＤＶＤオーディオディスク。
　　【請求項６】　前記ＡＭＧは、前記ＡＴＳに対する制御データを持つオーディオ管理情報（ＡＭＧＩ）と、前記ＡＴＳのＡＯＢｓに対するオーディオ管理メニューファイルとを備えることを特徴とする請求項１記載のＤＶＤオーディオディスク。
　　【請求項７】　前記ＡＭＧは、さらに、ＡＭＧＩのバックアップファイルを備えることを特徴とする請求項６記載のＤＶＤオーディオディスク。
　　【請求項８】　前記ＡＴＳは、さらに、
　ＡＯＢｓのオーディオタイトルセットメニュウと、
　データのセルを備えたＡＯＢｓのオーディオタイトルセットタイトルであり、セルの内の複数はＡＯＢｓを備えることを特徴とする請求項１記載のＤＶＤオーディオディスク。
　　【請求項９】　前記ＡＴＳは、さらに、ＡＴＳＩのバックアップファイルを備えることを特徴とする請求項８記載のＤＶＤオーディオディスク。
　　【請求項１０】　前記ＡＴＳＩは、さらに、フィールド値を備え、第１から第６のサンプリング周波数は、フィールド値の２個の対応する状態によって示されることを特徴とする請求項１記載のＤＶＤオーディオディスク。
　　【請求項１１】　前記２個のフィールド値の内の一つは、サンプリング周波数が１００Ｋｈｚ以上かどうかを示すことを特徴とする請求項１０記載のＤＶＤオーディオディスク。
　　【請求項１２】　前記２個のフィールド値の内の一つは、サンプリング周波数が１７６．４Ｋｈｚと１９２Ｋｈｚの内の一つであるかどうかを示すことを特徴とする請求項１０記載のＤＶＤオーディオディスク。
　　【請求項１３】　前記２個のフィールド値の内の他方には、サンプリング周波数が１７６．４Ｋｈｚあるいは１９２Ｋｈｚのいずれかであると示す状態があることを特徴とする請求項１１記載のＤＶＤオーディオディスク。
　　【請求項１４】　前記オーディオ符号化モードが線形パルス符号変調（ＰＣＭ）オーディオであるときには、オーディオチャネルの最大数は、次の式１によって決定されることを特徴とする請求項１記載のＤＶＤオーディオディスク。
【数１】
ここで、Ｆｓはサンプリング周波数（Ｈｚ）、Ｑｂは量子化ビット数、ＭｂγはＤＶＤオーディオディスクの最大データ転送速度（Ｍｂｐｓ）、Ｎはデータ転送速度とサンプリング周波数とＤＶＤオーディオディスクの量子化ビット数により決定されるオーディオチャネルの最大値である。
　　【請求項１５】　もしオーディオ符号化モードが圧縮符号化システムであると、オーディオチャネルの最大値は、次の式２によって決定されることを特徴とする請求項１記載のＤＶＤオーディオディスク。
【数２】
ここで、Ｆｓはサンプリング周波数（Ｈｚ）、Ｑｂは量子化ビット数、ＭｂγはＤＶＤオーディオディスクの最大データ転送速度（Ｍｂｐｓ）、Ｎはデータ転送速度とサンプリング周波数とＤＶＤオーディオディスクの量子化ビット数により決定されるオーディオチャネルの最大値である。
　　【請求項１６】　もし、オーディオ符号化モードが線形パルス符号変調（ＰＣＭ）であると、第１から第３の量子化ビット数は、それぞれ１６ビット、２０ビット、２４ビットであり、第４から第６のサンプリング周波数は、それぞれ４４．１ＫＨｚと８８．２ＫＨｚと１７６．４ＫＨｚであり、オーディオチャネルの最大値は８であり、オーディオチャネルの数は、次の式３によって決定されることを特徴とする請求項１記載のＤＶＤオーディオディスク。
【数３】
ここで、Ｆｓはサンプリング周波数（Ｈｚ）、Ｑｂは再生される量子化ビット数（ｂｉｔ）、ＭｂγはＤＶＤオーディオディスクの最大データ転送速度（Ｍｂｐｓ）、Ｎはデータ転送速度とサンプリング周波数とＤＶＤオーディオディスクの量子化ビット数により決定されるオーディオチャネルの最大値である。
　　【請求項１７】　前記オーディオ符号化モードが偽無損失圧縮符号化であるとき、圧縮前の再生されるデータの第１から第３の量子化ビット数は、それぞれ１６ビット、２０ビット、２４ビットであり、第４から第６のサンプリング周波数は４４．１ＫＨｚ、８８．２ＫＨｚ、１７６．４ＫＨｚであり、オーディオチャネルの最大値は８であり、オーディオチャネル数は、次の式４によって決定されることを特徴とする請求項１記載のＤＶＤオーディオディスク。
【数４】
ここで、Ｆｓは再生されるデータのサンプリング周波数（Ｈｚ）、Ｑｂは再生される量子化ビット数（ｂｉｔ）、ＭｂγはＤＶＤオーディオディスクの最大データ転送速度（Ｍｂｐｓ）、ＣｃｒはＤＴＳ圧縮符号化システムによる圧縮比、Ｎはデータ転送速度とサンプリング周波数とＤＶＤオーディオディスクの量子化ビット数により決定されるオーディオチャネルの最大値である。
　　【請求項１８】　前記オーディオ符号化モードが線形パルス符号変調（ＰＣＭ）オーディオであるとき、第１から第３の量子化ビット数は、それぞれ１６ビット、２０ビット、２４ビットであり、第１から第６のサンプリング周波数は、それぞれ４８ＫＨｚ、４４．１ＫＨｚ、９６ＫＨｚ、８８．２ＫＨｚ、１９６ＫＨｚ、１７６．４ＫＨｚであり、オーディオチャネルの最大値は８であり、記録チャネルの最大値は、次の式５によって決定されることを特徴とする請求項１記載のＤＶＤオーディオディスク。
【数５】
ここで、Ｆｓは再生されるデータのサンプリング周波数（Ｈｚ）、Ｑｂは再生される量子化ビット数（ｂｉｔ）、ＭｂγはＤＶＤオーディオディスクの最大データ転送速度（Ｍｂｐｓ）、ＣｃｒはＤＴＳ圧縮符号化システムによる圧縮比、Ｎはデータ転送速度とサンプリング周波数とＤＶＤオーディオディスクの量子化ビット数により決定されるオーディオチャネルの最大値である。
　　【請求項１９】　デコーダによりされるＤＶＤオーディオゾーンを備えるデータ領域を持つＤＶＤオーディオディスクであって、前記ＤＶＤオーディオゾーンは、
　オーディオタイトル（ＡＴＳ）と、
　前記ＡＴＳ上の情報を備えるオーディオ管理（ＡＭＧ）と、を備え、
　前記ＡＴＳは、オーディオデータを含んで連続的なオーディオオブジェクト（ＡＯＢｓ）が後ろに続く制御情報を備え、前記制御情報は再生されるデータに対応する復号化情報を含み、デコーダに対して量子化ビット数と、１９２ＫＨｚを含む１００ＫＨｚ以上の２個のサンプリング周波数とは異なるサンプリング周波数の両方を示していることを特徴とするＤＶＤオーディオディスク。
　　【請求項２０】　前記サンプリング周波数情報は、第１と第２のフィールド値内にあり、
　前記第１のフィールド値の第１の状態は、前記サンプリング周波数が４８ＫＨｚ、９６ＫＨｚ、１９２ＫＨｚの内の一つであるかどうかを示し、
　前記第１のフィールド値の第２の状態は、前記サンプリング周波数が４４．１ＫＨｚ、８８．２ＫＨｚ、１７６．４ＫＨｚの内の一つであるかどうかを示すことを特徴とする請求項１９記載のＤＶＤオーディオディスク。
　　【請求項２１】　前記第２のフィールド値の状態は、前記第１のフィールド値の第１の状態と共に、サンプリング周波数が１９２ＫＨｚであり、前記第１のフィールド値の第２の状態と共に、サンプリング周波数が１７６．４ＫＨｚであることを特徴とする請求項１９記載のＤＶＤオーディオディスク。」
　
というものであったところ、
　
（ｂ）「【請求項１】　ＤＶＤオーディオ領域を備えるデータ領域を持つＤＶＤオーディオディスクであって、前記ＤＶＤオーディオ領域は、
オーディオタイトル（ＡＴＳ）とオーディオ管理（ＡＭＧ）とを含み、
　前記ＡＴＳは、連続的なオーディオオブジェクト（ＡＯＢｓ）が後に続くオーディオタイトル情報（ＡＴＳＩ）
と、前記ＡＯＢｓのオーディオタイトルセットメニューと、多数のデータセルを含むＡＯＢｓのオーディオタイトルセットタイトルと
前記複数のセルはＡＯＢｓを含み、
　前記ＡＭＧは、前記ＡＴＳの情報
と、前記ＡＴＳに対する制御データを有するオーディオ管理情報(ＡＭＧＩ)と、前記ＡＴＳのＡＯＢｓに対するオーディオ管理メニューファイルと
　前記ＡＴＳＩは、オーディオストリームアトリビュートを備え、各オーディオストリームアトリビュートは、
　オーディオ符号化モードと、
　再生されるデータに対応する
１６ビット、２０ビット、２４ビットのうちいずれか一つの
　再生されるデータに対応する
４８ＫＨｚ、９６ＫＨｚ、１９２ＫＨｚ、４４．１ＫＨｚ、８８．２ＫＨｚ、１７６．４ＫＨｚのうちいずれか一つの
　再生されるデータのオーディオチャネル数に関する復号化アルゴリズム情報と、を含み、
　前記ＡＯＢｓの各々は、オーディオストリームアトリビュート内に記憶される復号化アルゴリズムに対するオーディオデータと共に記録されるオーディオパックを含むことを特徴とするＤＶＤオーディオディスク。
　　【請求項２】　前記ＡＭＧは、ＡＭＧＩのバックアップファイルをさらに備えることを特徴とする請求項１記載のＤＶＤオーディオディスク。
　　【請求項３】　前記ＡＴＳは、前記ＡＴＳＩのバックアップファイルをさらに備えることを特徴とする請求項１記載のＤＶＤオーディオディスク。
　　【請求項４】　前記ＡＴＳＩは、フィールド値をさらに含み、前記サンプリング周波数は、フィールド値の２個の対応する状態によって示されることを特徴とする請求項１記載のＤＶＤオーディオディスク。
　　【請求項５】　前記２個のフィールド値の内の一つは、サンプリング周波数が１００Ｋｈｚ以上かどうかを示すことを特徴とする請求項４記載のＤＶＤオーディオディスク。
　　【請求項６】　前記２個のフィールド値の内の一つは、サンプリング周波数が１７６．４Ｋｈｚと１９２Ｋｈｚの内の一つであるかどうかを示すことを特徴とする請求項４記載のＤＶＤオーディオディスク。
　　【請求項７】　前記２個のフィールド値の内の他方には、サンプリング周波数が１７６．４Ｋｈｚあるいは１９２Ｋｈｚのいずれか一つであることを示す状態があることを特徴とする請求項５記載のＤＶＤオーディオディスク。
　　【請求項８】　前記オーディオ符号化モードが線形パルス符号変調（ＰＣＭ）オーディオであるときには、オーディオチャネルの最大数は、次の式１によって決定されることを特徴とする請求項１記載のＤＶＤオーディオディスク。
【数１】
　ここで、Ｆｓはサンプリング周波数（Ｈｚ）、Ｑｂは量子化ビット数、ＭｂγはＤＶＤオーディオディスクの最大データ転送速度（Ｍｂｐｓ）、Ｎはデータ転送速度とサンプリング周波数とＤＶＤオーディオディスクの量子化ビット数により決定されるオーディオチャネルの最大値である。
　　【請求項９】　もしオーディオ符号化モードが圧縮符号化システムであると、オーディオチャネルの最大値は、次の式２によって決定されることを特徴とする請求項１記載のＤＶＤオーディオディスク。
【数２】
　ここで、Ｆｓはサンプリング周波数（Ｈｚ）、Ｑｂは量子化ビット数、ＭｂγはＤＶＤオーディオディスクの最大データ転送速度（Ｍｂｐｓ）、Ｎはデータ転送速度とサンプリング周波数とＤＶＤオーディオディスクの量子化ビット数により決定されるオーディオチャネルの最大値である。
　　【請求項１０】　前記最大オーディオチャネルの数は８チャネルであり、前記チャネルの数は、次の式３によって決定されることを特徴とする請求項１記載のＤＶＤオーディオディスク。
【数３】
　ここで、Ｆｓはサンプリング周波数（Ｈｚ）、Ｑｂは再生される量子化ビット数（ｂｉｔ）、ＭｂγはＤＶＤオーディオディスクの最大データ転送速度（Ｍｂｐｓ）、Ｎはデータ転送速度とサンプリング周波数とＤＶＤオーディオディスクの量子化ビット数により決定されるオーディオチャネルの最大値である。
　　【請求項１１】　前記最大オーディオチャネルの数は８チャネルであり、前記チャネルの数は、次の式４によって決定されることを特徴とする請求項１記載のＤＶＤオーディオディスク。
【数４】
　ここで、Ｆｓは再生されるデータのサンプリング周波数（Ｈｚ）、Ｑｂは再生される量子化ビット数（ｂｉｔ）、ＭｂγはＤＶＤオーディオディスクの最大データ転送速度（Ｍｂｐｓ）、ＣｃｒはＤＴＳ圧縮符号化システムによる圧縮比、Ｎはデータ転送速度とサンプリング周波数とＤＶＤオーディオディスクの量子化ビット数により決定されるオーディオチャネルの最大値である。
　　【請求項１２】　前記最大オーディオチャネルの数は８チャネルであり、前記チャネルの数は、次の式５によって決定されることを特徴とする請求項１記載のＤＶＤオーディオディスク。
【数５】
　ここで、Ｆｓは再生されるデータのサンプリング周波数（Ｈｚ）、Ｑｂは再生される量子化ビット数（ｂｉｔ）、ＭｂγはＤＶＤオーディオディスクの最大データ転送速度（Ｍｂｐｓ）、ＣｃｒはＤＴＳ圧縮符号化システムによる圧縮比、Ｎはデータ転送速度とサンプリング周波数とＤＶＤオーディオディスクの量子化ビット数により決定されるオーディオチャネルの最大値である。」
　
と補正するものである。なお、下線は当審で付与した。
　
　本件補正は、請求項１に記載された発明を特定するために必要な事項である「ＤＶＤオーディオ領域」、「ＡＴＳ」、「ＡＭＧ」、「量子化ビット数」、「サンプリング周波数」についてそれぞれ上記（ｂ）下線部分の限定を付加するものであって、平成１８年改正前特許法第１７条の２第４項第２号に規定する特許請求の範囲の減縮を目的とするものに該当する。
　また、本件補正は、補正前の請求項２〜６，８，１９〜２１を削除するものであって、平成１８年改正前特許法第１７条の２第４項第１号に規定する請求項の削除を目的とするものに該当する。
　
　そこで、補正後における特許請求の範囲の請求項１に記載されている事項により特定される発明（以下、「本願補正発明」という。）が特許出願の際独立して特許を受けることができるものであるか（平成１８年改正前特許法第１７条の２第５項において準用する同法第１２６条第５項の規定に違反するか）について以下に検討する。
　
　ところで、補正後における特許請求の範囲の請求項１に記載された「多数のデータセルを含むＡＯＢｓのオーディオタイトルセットタイトルとを備え、前記複数のセルはＡＯＢｓを含み」であるが、「ＡＯＢｓ」が「多数のデータセル」を含み、前記「複数のセル」が「ＡＯＢｓ」を含む、と「ＡＯＢｓ」と「データセル（セル）」との関係が循環しており明りょうでない。一方、明細書（特に段落【００３９】【００４０】【００５４】）及び図面（特に第２４図）の記載を参酌すると、オーディオオブジェクトセット（ＡＯＢｓ）が複数のセル（ＣＥＬＬ）を含んでおり、各セルが複数のオーディオオブジェクトユニット（ＡＯＢＵ）を含んでいる。よって、上記請求項１の上記記載のうち、「前記複数のセルはＡＯＢｓを含み」は「前記複数のセルはオーディオオブジェクトユニット（ＡＯＢＵ）を含み」の誤記と認められ、上記記載は「多数のデータセルを含むＡＯＢｓのオーディオタイトルセットタイトルとを備え、前記複数のセルはオーディオオブジェクトユニット（ＡＯＢＵ）を含み」として本願補正発明を認定することとする。
　
　また、本願補正発明の優先権主張の効果に関し、パリ条約による優先権主張に係る第一国出願として示された２件のうちの一方である、大韓民国において平成９年３月２５日に特許出願された１９９７１０３３０の明細書及び図面と同様の内容を有する優先権証明書には、サンプリング周波数が６種類あること及びサンプリング周波数が４８ＫＨｚ、９６ＫＨｚ、１９２ＫＨｚ、４４．１ＫＨｚ、８８．２ＫＨｚ、１７６．４ＫＨｚのいずれか一つであることについて記載されていないことから、本願補正発明については、上記第一国出願として示された２件のうちの他方である、大韓民国において平成９年１０月９日（以下、「優先日」という。）に特許出願された１９９７５１８６１による優先権主張の効果が及ぶものである。
　
２．引用例
　原査定の拒絶の理由で引用された、本願の優先日前である平成８年１２月１７日に頒布された刊行物である特開平８−３３６１０３号公報（以下、「引用例」という。）には、再生データの属性情報を再生データとともに記録した記録媒体に関して図面とともに次の技術事項が記載されている。なお、下線は当審で付与した。
　
（ア）「【請求項１】ビデオデータ及び
オーディオデータの少なくとも一方を含む再生データが格納されている再生データ領域と
前記格納されている再生データ自体に関する管理情報及び再生データの再生手順に関する再生情報が記述され、再生データの再生に先だって検索されるべき再生情報領域であって前記管理情報は、ビデオデータ及びオーディオデータの前記一方の再生データを再生信号に変換する為に必要な固有の属性に関する情報を含む再生情報領域と
を具備することを特徴とする記録媒体
…（中略）…
【請求項１０】
前記属性情報は、オーディオデータのオーディオコーディングモードに関する情報を含み、オーディオデータは、このコーディングモードに従ってデコードされる
…（中略）…
【請求項１５】
前記属性情報は、オーディオデータの量子化ビット数に関する情報を含み、オーディオデータは、この量子化ビット数に従ってデコードされる
【請求項１６】
前記属性情報は、オーディオデータのサンプリング周波数に関する情報を含み、オーディオデータは、このサンプリング周波数に従ってデコードされる
【請求項１７】
前記属性情報は、オーディオデータのオーディオチャネル数に関する情報を含み、オーディオデータは、このオーディオチャネル数内で選定される数に対応するオーディオチャネル信号に変換される
…（中略）…
【請求項２５】前記属性情報は、オーディオデータのマルチチャンネルオーディオストリームに関する情報を含み、オーディオデータは、マルチチャンネルオーディオストリームの属性に従ってデコードされることを特徴とする請求項１に記載の記録媒体。
【請求項２６】前記属性情報は、オーディオデータのマルチチャンネルオーディオストリームに関する情報を含み、オーディオデータは、マルチチャンネルオーディオストリームの属性に従ってミキシングされることを特徴とする請求項１に記載の記録媒体。」
　
（イ）「【００１０】この発明の目的は、種別の異なる複数のデータが記録されているディスクにおいて、それぞれのデータ属性に従った最適な再生形態を再生システムに設定することができる光ディスクを提供するにある。」
　
（ウ）「【００１４】
【課題を解決するための手段】この発明によれば、ビデオデータ及びオーディオデータの少なくとも一方を含む再生データが格納されている再生データ領域と、前記格納されている再生データ自体に関する管理情報及び再生データの再生手順に関する再生情報が記述され、再生データの再生に先だって検索されるべき再生情報領域であって前記管理情報は、ビデオデータ及びオーディオデータの前記一方の再生データを再生信号に変換する為に必要な固有の属性に関する情報を含む再生情報領域と、を具備する記録媒体が提供される。」
　
（エ）「【００３４】
図１に示される光ディスク１０のリードインエリア２７からリードアウトエリア２６までのデータ記録領域２８は、図４に示されるようなボリューム及びファイル構造を有している
【００３５】
図４に示されるようにこのボリューム及びファイル構造は
ビデオマネージャー（ＶＭＧ）７１、少なくとも１以上のビデオタイトルセット（ＶＴＳ）７２
を有している
【００３６】…（前略）…
ビデオマネージャー７１には、図５を参照して説明するようにビデオタイトルセットを管理する情報が記述され
各ビデオタイトルセット（ＶＴＳ）７２には、後に説明するように圧縮されたビデオデータ、オーディオデータ及び副映像データ及びこれらの再生情報が格納され
　
（オ）「【００３８】
図５に示すようにビデオマネージャー７１は、夫々が各ファイル７４に相当する３つの項目を含んでいる。即ち、ビデオマネージャー７１は、ビデオマネージャー情報（ＶＭＧＩ）７５、ビデオマネージャーメニューの為のビデオオブジェクトセット（ＶＭＧＭ＿ＶＯＢＳ）７６及びビデオマネージャー情報のバックアップ（ＶＭＧＩ＿ＢＵＰ）７７から構成されている
このＶＭＧＭ用のビデオオブジェクトセット（ＶＭＧＭ＿ＶＯＢＳ）７６には、ビデオマネージャー７１が管理する当該光ディスク中のボリュームに関するメニューのビデオデータ、オーディオデータ及び副映像データが格納されている
　
（カ）「【００４０】
ここで、図６を参照してビデオオブジェクトセット（ＶＯＢＳ）８２の構造について説明する。図６は、ビデオオブジェクトセット（ＶＯＢＳ）８２の一例を示している
【００４１】
図６に示すようにビデオオブジェクトセット（ＶＯＢＳ）８２は、１個以上のビデオオブジェクト（ＶＯＢ）８３の集合として定義され、ビデオオブジェクトセット（ＶＯＢＳ）８２中のビデオオブジェクト８３は、同一の用途の供される
タイトルセット用のビデオオブジェクトセット（ＶＴＳＴＴ＿ＶＯＢＳ）８２は、通常、複数のビデオオブジェクト（ＶＯＢ）８３で構成される
　
（キ）「【００４３】
ビデオオブジェクト（ＶＯＢ）８３には、識別番号（ＩＤＮ#j）が付され、この識別番号によってそのビデオオブジェクト（ＶＯＢ）８３を特定することができる。ビデオオブジェクト（ＶＯＢ）８３は、１又は複数のセル８４から構成される
セルには、識別番号（Ｃ＿ＩＤＮ#j）が付され、このセル識別番号（Ｃ＿ＩＤＮ#j）によってセル８４が特定される
【００４４】
図６に示すように各セル８４は、１又は複数のビデオオブジェクトユニット（ＶＯＢＵ）８５、通常は、複数のビデオオブジェクトユニット（ＶＯＢＵ）８５から構成される。ここで、ビデオオブジェクトユニット（ＶＯＢＵ）８５は、１つのナビゲーションパック（ＮＶパック）８６を先頭に有するパック列として定義される
　
（ク）「【００４５】
図６に示すようにビデオオブジェクトユニットがビデオデータを含む場合には、ＭＰＥＧ規格に定められたビデオパック（Ｖパック）８８、副映像パック（ＳＰパック）９０及びオーディオパック（Ａパック）９１から構成されるＧＯＰが配列されてビデオデータストリームが構成される
また、オーディオ
のみの再生データにあってもこのビデオオブジェクトユニットを１単位として再生データが構成される。即ち、オーディオパックのみでビデオオブジェクトユニットが構成されても、ビデオデータのビデオオブジェクトと同様にそのオーディオデータが属するビデオオブジェクトユニットの再生時間内に再生されるべきオーディオパックがそのビデオオブジェクトユニットに格納される
　
（ケ）「【００４６】
再び図５を参照してビデオマネージャー７１について説明する。ビデオマネージャー７１の先頭に配置されるビデオ管理情報７５は、そのビデオマネージャー自体の情報、タイトルをサーチする為の情報、ビデオマネージャーメニューの再生の為の情報、及びビデオタイトルの属性情報の等のビデオタイトルセット（ＶＴＳ）７２を管理する情報が記述され、図５に示す順序で３つのテーブル７８、７９、８０が記録されている
第１のテーブルであるビデオ管理情報管理テーブル（ＶＭＧＩ＿ＭＡＴ）７８は、必須のテーブルであってビデオマネージャー７１のサイズ、このビデオマネージャー７１中の各情報のスタートアドレス、ビデオマネージャーメニュー用のビデオオブジェクトセット（ＶＭＧＭ＿ＶＯＢＳ）７６のスタートアドレス及びその属性情報等が記述されている
【００４７】また、
ビデオマネージャー７１の第２のテーブルであるタイトルサーチポインターテーブル（ＴＴ＿ＳＲＰＴ）７９
【００４８】ビデオマネージャー７１の
第３のテーブルであるビデオタイトルセット属性テーブル（ＶＴＳ＿ＡＴＲＴ）８０には、当該光ディスクのボリューム中のビデオタイトルセット（ＶＴＳ）７２に定められた属性情報が記載される。即ち、属性情報としてビデオタイトルセット（ＶＴＳ）７２の数、ビデオタイトルセット（ＶＴＳ）７２の番号、ビデオの属性、例えば、ビデオデータの圧縮方式等、オーディオストリームの属性、例えば、オーディオの符号化モード等、副映像の属性、例えば、副映像の表示タイプ等がこのテーブルに記載されている
　
（コ）「【００７０】
次に、図４に示されたビデオタイトルセット（ＶＴＳ）７２の論理フォーマットの構造について図２１を参照して説明する。各ビデオタイトルセット（ＶＴＳ）７２には、図２１に示すようにその記載順に４つの項目９４、９５、９６、９７が記載されている。また、各ビデオタイトルセット（ＶＴＳ）７２は、共通の属性を有する１又はそれ以上のビデオタイトルから構成され、このビデオタイトル７２についての管理情報、例えば、ビデオオブジェクトセット９６を再生する為の情報、タイトルセットメニュー（ＶＴＳＭ）を再生する為の情報及びビデオオブジェクトセット７２の属性情報がビデオタイトルセット情報（ＶＴＳＩ）に記載されている
【００７１】このビデオタイトルセット情報（ＶＴＳＩ）９４のバックアップ９７がビデオタイトルセット（ＶＴＳ）７２に設けられている。
ビデオタイトルセット情報（ＶＴＳＩ）９４とこの情報のバックアップ（ＶＴＳＩ＿ＢＵＰ）９７との間には、ビデオタイトルセットメニュー用のビデオオブジェクトセット（ＶＴＳＭ＿ＶＯＢＳ）９５及びビデオタイトルセットタイトル用のビデオオブジェクトセット（ＶＴＳＴＴ＿ＶＯＢＳ）９６が配置されている。いずれのビデオオブジェクトセット（ＶＴＳＭ＿ＶＯＢＳ及びＶＴＳＴＴ＿ＶＯＢＳ）９５、９６は、既に説明したように図６に示す構造を有している
【００７２】ビデオタイトルセット情報（ＶＴＳＩ）９４、この情報のバックアップ（ＶＴＳＩ＿ＢＵＰ）９７及びビデオタイトルセットタイトル用のビデオオブジェクトセット（ＶＴＳＴＴ＿ＶＯＢＳ）９６は、ビデオタイトルセット７２にとって必須の項目され、ビデオタイトルセットメニュー用のビデオオブジェクトセット（ＶＴＳＭ＿ＶＯＢＳ）９５は、必要に応じて設けられるオプションとされている。」
　
（サ）「【００７３】
ビデオタイトルセット情報（ＶＴＳＩ）９４は、図２１に示すように７つのテーブル９８、９９、１００、１０１、１１１、１１２、１１３から構成され、この７つのテーブル９８、９９、１００、１０１、１１１、１１２、１１３は、論理セクタ間の境界に一致されている。第１のテーブルであるビデオタイトルセット情報管理テーブル（ＶＴＳＩ＿ＭＡＴ）９８は、必須のテーブルであってビデオタイトルセット（ＶＴＳ）７２のサイズ、ビデオタイトルセット（ＶＴＳ）７２中の各情報の開始アドレス及びビデオタイトルセット（ＶＴＳ）７２中のビデオオブジェクトセット（ＶＯＢＳ）８２の属性が記述されている
　
（シ）「【００８０】
図２２は、ビデオタイトル情報マネージャーテーブル（ＶＴＳＩ＿ＭＡＴ）９８の記述内容を示している
【００８１】…（略）…
【００８２】…（前略）…
同様にこのテーブル（ＶＴＳＩ＿ＭＡＴ）９８には、ビデオタイトルセット（ＶＴＳ）７２中のビデオタイトルセット（ＶＴＳ）のタイトル（ＶＴＳＴＴ）の為のビデオオブジェクトセット（ＶＴＳＴ＿ＶＯＢＳ）９６の
オーディオストリーム属性（ＶＴＳ＿ＡＳＴ＿ＡＴＲ）、
が記述されている。更に、ビデオタイトルセット（ＶＴＳ）のマルチチャンネルオーディオストリームの属性（ＶＴＳ＿ＭＵ＿ＡＳＴ＿ＡＴＲ）がこのテーブル（ＶＴＳＩ＿ＭＡＴ）９８に記述されている
　
（ス）「【００８６】…（前略）…
ビデオタイトルセットタイトル（ＶＴＳＴ）のオーディオストリームの属性（ＶＴＳ＿ＡＳＴ＿ＡＴＲ）には、図２３に示されるようにビット番号ｂ６３からビット番号ｂ４８にオーディオコーディングモード、マルチチャンネルの拡張、オーディオタイプ、オーディオのアプリケーションＩＤ、量子化、サンプリング周波数及びオーディオチャネルの数が記述され
　
（セ）「【００８７】
ＶＴＳＭ及びＶＴＳＴのオーディオストリームの属性（ＶＴＳＭ＿ＡＳＴ＿ＡＴＲ，ＶＴＳ＿ＡＳＴ＿ＡＴＲ）のいずれにおいてもオーディオコーディングモードは、ビット番号ｂ６３、ｂ６２、ｂ６１に記述されている
　
（ソ）「【００８８】…（前略）…
オーディオデータの量子化に関しては、ビット番号ｂ５５及びｂ５４に記述され、ビット番号ｂ５５及びｂ５４にが“００”の場合は、１６ビットで量子化されたオーディオデータであることを意味し、ビット番号ｂ５５及びｂ５４にが“０１”の場合は、２０ビットで量子化されたオーディオデータであることを意味し、ビット番号番号ｂ５５及びｂ５４にが“１０”の場合は、２４ビットで量子化されたオーディオデータであることを意味し
オーディオデータのサンプリング周波数Ｆs に関しては、ビット番号ｂ６９及びｂ６８（当審注：図２３では、サンプリング周波数Ｆｓはビット番号ｂ５３及びｂ５２に記述されており、当該段落の『ｂ６９及びｂ６８』は、『ｂ５３及びｂ５２』の誤記と認める。）に記述され、サンプリング周波数Ｆs が４８ｋＨｚである場合には、“００”が記述され、サンプリング周波数Ｆs が９６ｋＨｚである場合には、“０１”が記述され、その他は予約とされている
　
（タ）「【００８９】
オーディオチャネル数に関しては、ビット番号ｂ５０からｂ４８に記述され
　
（チ）「【００９０】ＶＴＳオーディオストリームの数（ＶＴＳ＿ＡＳＴ＿Ｎｓ）は、０から８の間で設定される。この為、設定可能なストリーム数に対応して８個のＶＴＳオーディオストリームの属性（ＶＴＳ＿ＡＳＴ＿ＡＴＲ）が用意されている。即ち、ＶＴＳオーディオストリーム＃０からＶＴＳオーディオストリーム＃７までのＶＴＳオーディオストリーム属性（ＶＴＳ＿ＡＳＴ＿Ｎｓ）の領域が設けられ、ＶＴＳオーディオストリームが８個よりも少なく、対応するオーディオストリームがない場合には、ないオーディオストリームに対応する図２２に示すＶＴＳオーディオストリーム属性（ＶＴＳ＿ＡＳＴ＿Ｎｓ）の記述は、全てのビットが“０”となる。」
　
（ツ）「【００９６】ビデオタイトルセット（ＶＴＳ）のマルチチャンネルオーディオストリームの属性（ＶＴＳ＿ＭＵ＿ＡＳＴ＿ＡＴＲ）には、マルチチャネルオーディオストリーム＃０からマルチチャネルオーディオストリーム＃７までの属性情報が記述されている。各マルチチャネルオーディオストリーム属性（ＶＴＳ＿ＭＵ＿ＡＳＴ＿ＡＴＲ）には、オーディオチャネルの内容（カラオケ或いはサラウンド等）、オーディオミキシングの方式等が記述される。」
　
（テ）「【０１０９】
図６を参照して説明したようにセル８４は、ビデオオブジェクトユニット（ＶＯＢＵ）８５の集合とされ、ビデオオブジェクトユニット（ＶＯＢＵ）８５は、ナビゲーション（ＮＶ）パック８６から始まるパック列として定義される
オブジェクトユニット８５がビデオパックを含まない場合であってもＮＶパックがオーディオパック又は／及び副映像パックを含むオブジェクトユニットの先頭に配置される
【０１１０】　…（略）…
【０１１１】他のビデオ、
オーディオ
パック
９０
は、図３６に示すようにＭＰＥＧ２のシステムレーヤに定められると同様にパックヘッダ１２０、パケットヘッダ１２１及び対応するデータが格納されたパケット１２２から構成され
　
（ト）「【０１１７】次に、上述したビデオデータ属性（ＶＭＧＭ＿Ｖ＿ＡＴＲ，ＶＴＳＭ＿Ｖ＿ＡＴＲ，ＶＴＳ＿Ｖ＿ＡＴＲ）、
オーディオデータ属性（ＶＭＧＭ＿ＡＳＴ＿ＡＴＲ，ＶＴＳＭ＿ＡＳＴ＿ＡＴＲ，ＶＴＳ＿ＡＳＴ＿ＡＴＲ）
に応じて
オーディオデコーダ部６０
Ｄ／Ａ＆再生処理部６４が適切にセットされる
【０１１８】…（略）…
【０１１９】オーディオデコーダ部６０は、図４３に示すようにレジスタ６０A 、セレクタ６０Ｂ、ＭＰＥＧ１デコーダ６０Ｃ、ＡＣ３デコーダ６０Ｄ、及びＰＣＭデコーダ６０E 、により構成されている。図４３に示す回路においては、システムＣＰＵ部５０からシステムプロセッサ部５４を介して供給されるオーディオデータ属性（ＶＭＧＭ＿ＡＳＴ＿ＡＴＲ，ＶＴＳＭ＿ＡＳＴ＿ＡＴＲ，ＶＴＳ＿ＡＳＴ＿ＡＴＲ）に対応した制御信号がレジスタ６０Ａによって保持され、その出力はセレクタ６０Ｂに出力される。セレクタ６０Ｂは、システムプロセッサ部５４から供給されるオーディオデータをレジスタ６０Ａからの出力に応じてＭＰＥＧ１デコーダ６０Ｃ、ＡＣ３デコーダ６０Ｄ、或いは、ＰＣＭデコーダ６０Ｅに選択的に出力される。、ＭＰＥＧ１デコーダ６０Ｃが選択される場合には、セレクタ６０ＢからのオーディオデータがＭＰＥＧ１デコーダ６０ＣによってＭＰＥＧ１の符号化方式でデコードされる。ＡＣ３デコーダ６０Ｄが選択される場合には、セレクタ６０Ｂからのオーディオデータは、ＡＣ３デコーダ６０ＤによってＡＣ３の符号化方式でデコードされる。ＰＣＭデコーダ６０Ｅが選択される場合には、セレクタ６０ＢからのディジタルのオーディオデータがＰＣＭデコーダ６０Ｅによってアナログのオーディオデータにデコードされる。ＭＰＥＧ１デコーダ６０Ｃ、ＡＣ３デコーダ６０Ｄ、或いは、ＰＣＭデコーダ６０Ｅからのデコーダ出力は、オーディオデコーダ部６０のデコーダ出力としてＤ／Ａ＆再生処理部６４内の後述するオーディオ再生処理部２０２へ出力される。」
　
（ナ）「【０１６４】
上述した説明においては、ビデオオブジェクトユニットは、ビデオ、オーディオ及び副映像を含むデータ列として説明したが、ビデオ、オーディオ及び副映像のいずれかが含まれれば良く、オーディオパックのみ
で構成されても良い
　
３．対比
　引用例には、前記（ア）ないし（ナ）の記載事項と図面の記載とを総合勘案すると、次の発明（以下、「引用例発明」という。）が記載されているものと認める。
　
「ボリューム及びファイル構造を有するデータ記録領域を持つ光ディスクであって、前記ボリューム及びファイル構造は、ビデオマネージャー（ＶＭＧ）とビデオタイトルセット（ＶＴＳ）とを含み、
　前記ＶＴＳは、ビデオタイトルセット情報（ＶＴＳＩ）と、ビデオタイトルセットメニュー用のビデオオブジェクトセット（ＶＴＳＭ＿ＶＯＢＳ）及びビデオタイトルセットタイトル用のビデオオブジェクトセット（ＶＴＳＴＴ＿ＶＯＢＳ）とを備え、
　ビデオオブジェクトセット（ＶＯＢＳ）は１個以上のビデオオブジェクト（ＶＯＢ）の集合として定義され、ビデオオブジェクト（ＶＯＢ）は１又は複数のセルから構成され、セルは１又は複数のビデオオブジェクトユニット（ＶＯＢＵ）から構成され、ビデオオブジェクトユニット（ＶＯＢＵ）はパック列として定義され、
　ビデオオブジェクトユニット（ＶＯＢＵ）がビデオデータを含む場合は、ビデオパック（Ｖパック）、副映像パック（ＳＰパック）及びオーディオパック（Ａパック）からビデオデータストリームが構成され、
　オーディオパックはパックヘッダ、パケットヘッダ及び対応するデータが格納されたパケットから構成され、
　オーディオのみの再生データにあってもこのビデオオブジェクトユニットを１単位として再生データが構成され、オーディオパックのみでビデオオブジェクトユニットが構成されても、ビデオデータのビデオオブジェクトと同様にそのオーディオデータが属するビデオオブジェクトユニット（ＶＯＢＵ）の再生時間内に再生されるべきオーディオパックがそのビデオオブジェクトユニット（ＶＯＢＵ）に格納され、
　前記ＶＭＧは、ビデオマネージャー情報（ＶＭＧＩ）と、ビデオマネージャーメニューの為のビデオオブジェクトセット（ＶＭＧＭ＿ＶＯＢＳ）から構成され、ＶＭＧＭ＿ＶＯＢＳには、当該光ディスク中のボリュームに関するメニューのビデオデータ、オーディオデータ及び副映像データが格納されており、
　前記ＶＴＳＩは、オーディオストリーム属性（ＶＴＳ＿ＡＳＴ＿ＡＴＲ）を備え、各オーディオストリーム属性（ＶＴＳ＿ＡＳＴ＿ＡＴＲ）は、
　ビット番号ｂ６３、ｂ６２、ｂ６１にオーディオコーディングモードが記述され、
　ビット番号ｂ５５及びｂ５４にオーディオデータの量子化に関して記述され、“００”の場合は１６ビットで量子化されたオーディオデータであることを意味し、“０１”の場合は２０ビットで量子化されたオーディオデータであることを意味し、“１０”の場合は２４ビットで量子化されたオーディオデータであることを意味し、
　ビット番号ｂ５３及びｂ５２にオーディオデータのサンプリング周波数Ｆｓに関して記述され、サンプリング周波数Ｆｓが４８ｋＨｚである場合には“００”が記述され、サンプリング周波数Ｆｓが９６ｋＨｚである場合には“０１”が記述され、その他は予約とされており、
　ビット番号ｂ５０からｂ４８にオーディオチャンネル数に関して記述され、
　前記オーディオストリーム属性（ＶＴＳ＿ＡＳＴ＿ＡＴＲ）に従ってオーディオデータがデコードされるようになされており、
　前記ビデオオブジェクトユニット（ＶＯＢＵ）はオーディオパックのみで構成されても良い光ディスク。」
　
　そこで、本願補正発明と引用例発明とを対比する。
　
（１）引用例発明の光ディスクは、ビデオパック、副映像パック及びオーディオパックからなるビデオオブジェクトユニット（ＶＯＢＵ）からビデオストリームが構成されるものであるが、かかるビデオオブジェクトユニット（ＶＯＢＵ）はオーディオパックのみで構成されても良く、オーディオのみの再生データにあってもこのビデオオブジェクトユニットを１単位として再生データが構成され、オーディオパックのみでビデオオブジェクトユニットが構成されても、そのオーディオデータが属するビデオオブジェクトユニット（ＶＯＢＵ）の再生時間内に再生されるべきオーディオパックがそのビデオオブジェクトユニット（ＶＯＢＵ）に格納されることになるから、引用例発明の光ディスクは、再生データとしてオーディオデータのみが記録される光ディスクを含むものであり、この点において本願補正発明の「オーディオディスク」が「オーディオ領域を備えるデータ領域を持つ」ことと共通している。
　
（２）引用例発明の光ディスクはオーディオパックのみでＶＯＢＵが構成されてオーディオデータのみが記録されるものを含み（（１）参照）、引用例発明の光ディスクのデータ記録領域は「ビデオマネージャー（ＶＭＧ）」と「ビデオタイトルセット（ＶＴＳ）」とを含むことから、引用例発明の光ディスクは、オーディオパックのみでＶＯＢＵが構成される場合に、本願補正発明において「オーディオディスクのオーディオ領域」が「オーディオタイトル（ＡＴＳ）」と「オーディオ管理（ＡＭＧ）」とを含むことと共通している。
　
（３）引用例発明の光ディスクはオーディオパックのみでＶＯＢＵが構成されてオーディオデータのみが記録されるものを含み（（１）参照）、引用例発明の「ビデオオブジェクトセット（ＶＯＢＳ）」は、「１個以上のビデオオブジェクト（ＶＯＢ）」で構成され、「ビデオオブジェクト（ＶＯＢ）」は「複数のセル」から構成され、「各セル」は、「複数のビデオオブジェクトユニット（ＶＯＢＵ）」から構成されることから、引用例発明の光ディスクは、オーディオパックのみでＶＯＢＵが構成される場合に、本願補正発明において「ＡＯＢｓの各々」が、「オーディオデータと共に記録されるオーディオパックを含む」ことと共通している。
　
（４）引用例発明の光ディスクはオーディオパックのみでＶＯＢＵが構成されてオーディオデータのみが記録されるものを含み（（１）参照）、引用例発明の「ビデオタイトルセット（ＶＴＳ）」は、ビデオタイトルセット情報（ＶＴＳＩ）と、ビデオタイトルセットメニュー用のビデオオブジェクトセット（ＶＴＳＭ＿ＶＯＢＳ）と、ビデオタイトルセットタイトル用のビデオオブジェクトセット（ＶＴＳＴＴ＿ＶＯＢＳ）を備えており、ビデオタイトルセット情報（ＶＴＳＩ）の後ろに連続的なビデオオブジェクトセット（ＶＯＢＳ）が続いており（図２１参照）、ビデオオブジェクトセット（ＶＯＢＳ）は多数のセルを含み、この複数のセルはビデオオブジェクトユニット（ＶＯＢＵ）を含んでいるから、引用例発明の光ディスクは、オーディオパックのみでＶＯＢＵが構成される場合に、本願補正発明において「オーディオタイトル（ＡＴＳ）」が「連続的なオーディオオブジェクト（ＡＯＢｓ）が後に続くオーディオタイトル情報（ＡＴＳＩ）と、前記ＡＯＢｓのオーディオタイトルセットメニューと、多数のデータセルを含むＡＯＢｓのオーディオタイトルセットタイトルとを備え、前記複数のセルはオーディオオブジェクトユニット（ＡＯＢＵ）を含」むことと共通している。
　
（５）引用例発明の光ディスクはオーディオパックのみでＶＯＢＵが構成されてオーディオデータのみが記録されるものを含み（（１）参照）、引用例発明の「ビデオマネージャー（ＶＭＧ）」は、ビデオ管理情報（ＶＭＧＩ）と、ビデオマネージャーメニューの為のビデオオブジェクトセット（ＶＭＧＭ＿ＶＯＢＳ）とを備え、該ビデオ管理情報（ＶＭＧＩ）は、ビデオタイトルセット（ＶＴＳ）の数やＶＴＳの番号といったＶＴＳの情報と、ＶＴＳのオーディオストリームの属性といった情報すなわちＶＴＳの制御データとをビデオタイトルセット属性テーブル（ＶＴＳ＿ＡＴＲＴ）として有し、該ＶＭＧＭ＿ＶＯＢＳには当該光ディスク中のボリュームに関するメニューが格納されているから（（オ）（ケ）、図５参照）、引用例発明の光ディスクは、オーディオパックのみでＶＯＢＵが構成される場合に、本願補正発明において「オーディオ管理（ＡＭＧ）」が「ＡＴＳの情報と、前記ＡＴＳに対する制御データを有するオーディオ管理情報（ＡＭＧＩ）と、前記ＡＴＳのＡＯＢｓに対するオーディオ管理メニューファイルとを備え」ることと共通している。
　
（６）引用例発明の光ディスクはオーディオパックのみでＶＯＢＵが構成されてオーディオデータのみが記録されるものを含み（（１）参照）、引用例発明の「ビデオタイトルセット情報（ＶＴＳＩ）」は、「オーディオストリーム属性（ＶＴＳ＿ＡＳＴ＿ＡＴＲ）」を備えており、該「オーディオストリーム属性（ＶＴＳ＿ＡＳＴ＿ＡＴＲ）」には、
　・「ビット番号ｂ６３、ｂ６２、ｂ６１にオーディオコーディング
　　モードが記述され」、
　・「ビット番号ｂ５５及びｂ５４にオーディオデータの量子化に
　　関して記述され、“００”の場合は１６ビットで量子化された
　　オーディオデータであることを意味し、“０１”の場合は２０
　　ビットで量子化されたオーディオデータであることを意味し、
　　“１０”の場合は２４ビットで量子化されたオーディオデータ
　　であることを意味し」、
　・「ビット番号ｂ５３及びｂ５２にオーディオデータのサンプリ
　　ング周波数Ｆｓに関して記述され、サンプリング周波数Ｆｓが
　　４８ｋＨｚである場合には“００”が記述され、サンプリング
　　周波数Ｆｓが９６ｋＨｚである場合には“０１”が記述され、
　　その他は予約とされており」、
　・「ビット番号ｂ５０からｂ４８にオーディオチャンネル数に
　　関して記述され」ており、
当該「オーディオストリーム属性（ＶＴＳ＿ＡＳＴ＿ＡＴＲ）」に従って、ＶＯＢＵのオーディオパックに記録されたオーディオデータがデコード、すなわち復号化されるようになされていることから、引用例発明の光ディスクは、オーディオパックのみでＶＯＢＵが構成される場合に、本願補正発明において「オーディオタイトル情報（ＡＴＳＩ）」が「オーディオストリームアトリビュートを備え、各オーディオストリームアトリビュートは、
　オーディオ符号化モードと、
　再生されるデータに対応する１６ビット、２０ビット、２４ビットのうちいずれか一つの量子化ビット数と、
　再生されるデータに対応する４８ＫＨｚ、９６ＫＨｚのうちいずれか一つのサンプリング周波数と、
　再生されるデータのオーディオチャネル数に関する復号化アルゴリズム情報と、を含」むこと及び、「オーディオパック」に記録された「オーディオデータ」が「オーディオストリームアトリビュート内に記憶される復号化アルゴリズムに対する」ことと共通している。　
　
　したがって、本願補正発明と引用例発明とを対比すると、両者は、
　
「オーディオ領域を備えるデータ領域を持つオーディオディスクであって、前記オーディオ領域は、オーディオタイトル（ＡＴＳ）とオーディオ管理（ＡＭＧ）とを含み、　
　前記ＡＴＳは、連続的なオーディオオブジェクト（ＡＯＢｓ）が後に続くオーディオタイトル情報（ＡＴＳＩ）と、前記ＡＯＢｓのオーディオタイトルセットメニューと、多数のデータセルを含むＡＯＢｓのオーディオタイトルセットタイトルとを備え、前記複数のセルはＡＯＢｓを含み、　
　前記ＡＭＧは、前記ＡＴＳの情報と、前記ＡＴＳに対する制御データを有するオーディオ管理情報(ＡＭＧＩ)と、前記ＡＴＳのＡＯＢｓに対するオーディオ管理メニューファイルとを備え、
　前記ＡＴＳＩは、オーディオストリームアトリビュートを備え、各オーディオストリームアトリビュートは、
　オーディオ符号化モードと、
　再生されるデータに対応する１６ビット、２０ビット、２４ビットのうちいずれか一つの量子化ビット数と、
　再生されるデータに対応する４８ＫＨｚ、９６ＫＨｚのうちいずれか一つのサンプリング周波数と、
　再生されるデータのオーディオチャネル数に関する復号化アルゴリズム情報と、を含み、
　前記ＡＯＢｓの各々は、オーディオストリームアトリビュート内に記憶される復号化アルゴリズムに対するオーディオデータと共に記録されるオーディオパックを含むオーディオディスク。」
　
の点で一致し、以下の点で相違する。
　
（１）「オーディオ領域を備えるデータ領域を持つオーディオディスク」に関し、本願補正発明では該「オーディオ領域」が「ＤＶＤオーディオ領域」であり、該「オーディオディスク」が「ＤＶＤオーディオディスク」であるのに対し、引用例発明では「オーディオ領域」が「ＤＶＤオーディオ領域」であることは特定されておらず、「オーディオディスク」が「ＤＶＤオーディオディスク」であることも特定されていない点。
　
（２）「サンプリング周波数」に関し、本願補正発明ではサンプリング周波数が「４８ＫＨｚ、９６ＫＨｚ、１９２ＫＨｚ、４４．１ＫＨｚ、８８．２ＫＨｚ、１７６．４ＫＨｚのうちいずれか一つ」であるのに対し、引用例発明ではサンプリング周波数が「４８ＫＨｚ、９６ＫＨｚのうちいずれか一つ」である点。
　
４．判断
　そこで、上記相違点について検討する。
（相違点１について）
　本願補正発明とＡＭＧ、ＡＭＧＩ、ＡＴＳ、ＡＴＳＩ、ＡＯＢｓのデータ構造及び対応関係が共通する引用例発明に係る「オーディオ領域を備えるデータ領域を持つオーディオディスク」の「オーディオ領域」を「ＤＶＤオーディオ領域」とし、「オーディオディスク」を「ＤＶＤオーディオディスク」とすることは、単に表現上で相違する程度の事項で実質上の相違点とならないものであり、仮に「ＤＶＤ」という表現を付加したことに相違を認めるとしても、いわゆるＤＶＤがオーディオデータ用途としても用いられることは本願優先日前に当業者間に周知であるから（必要であれば、「ＰＩＯＮＥＥＲ　Ｒ＆Ｄ　Ｖｏｌ．６　Ｎｏ．２」（１９９６年）の第３〜５頁、持木一明著「ＤＶＤ＆ＤＶＣ入門基本１８章」（平成８年１０月２０日　第１版第１刷）の第８９〜９１頁、麻倉怜士著「ＤＶＤ」（平成８年９月２０日　第１版第３刷）の第２２４〜２２８頁などを参照）、上記周知の事項を踏まえて当業者が容易に想到しうる程度の事項にすぎないものである。
　
（相違点２について）
　記録されるオーディオデータのサンプリング周波数として、４８ＫＨｚに加えて周知のＣＤオーディオ（ＣＤ−ＤＡ）に採用されている４４．１ＫＨｚも用いることは、複数のサンプリング周波数のオーディオデータを記録可能なディジタル記録技術として本願優先日前に当業者間に周知であり（必要であれば、特開平３−２６８２７５号公報の第５頁右上欄第７〜１２行や第１０頁左下欄第２０行〜第１１頁右下欄第１４行、特開平７−２２６０２５号公報の段落【０００２】【０００３】【００４４】【００４５】【０１３９】、実願平２−９２６４７号（実開平４−５４０６６号）のマイクロフィルムなどを参照）、引用例発明に係るオーディオディスクにおいて、記録されるオーディオデータのサンプリング周波数として４８ＫＨｚ、９６ＫＨｚに加えて４４．１ＫＨｚを導入することに格別技術的困難性はみいだせない。
　また、高音質なディジタルオーディオを得ることはディジタルオーディオの技術分野における普遍的な課題であって、サンプリング周波数を高くすることが高音質なディジタルオーディオを得る手段の一つであることも本願優先日前に当業者間に周知であり（必要であれば、上記「ＰＩＯＮＥＥＲ　Ｒ＆Ｄ　Ｖｏｌ．６　Ｎｏ．２」の第３〜５頁、上記「ＤＶＤ＆ＤＶＣ入門基本１８章」の第８９〜９１頁、上記「ＤＶＤ」の第２２４〜２２８頁などを参照）、引用例においても、「サンプリング周波数Ｆs が４８ｋＨｚである場合には、“００”が記述され、サンプリング周波数Ｆs が９６ｋＨｚである場合には、“０１”が記述され、その他は予約とされている。」（段落【００８８】）と記載されていることから、引用例発明に係るオーディオディスクが４８ＫＨｚ、９６ＫＨｚ以外のより高いサンプリング周波数を予定していることは明らかである。
　そして、より高いサンプリング周波数を導入するに際して整数倍のサンプリング周波数を選定することはディジタルオーディオの技術分野における当業者に常套手段であり（引用例発明のものも、サンプリング周波数４８ＫＨｚに対して２倍である９６ＫＨｚのサンプリング周波数を導入しているし、また、必要であれば、特開平３−３４１６５号公報の第３頁左上欄第１３行〜同頁左下欄第３行も参照のこと。）、サンプリング周波数として何種類導入するかは必要に応じて当業者が適宜設定しうる事項にすぎないものであるから、引用例発明において、サンプリング周波数として４８ＫＨｚ、９６ＫＨｚに加えて、４８ＫＨｚの４倍にあたる１９２ＫＨｚを導入することや、４４．１ＫＨｚの２倍にあたる８８．２ＫＨｚ、４倍にあたる１７６．４ＫＨｚを導入することは当業者が格別の困難性なくなし得ることである。
　
　審判請求人が審判請求の理由の「２）進歩性判断手法」の中で主張している点は、引用例発明がオーディオデータに加えてビデオデータを必ず含むＤＶＤビデオディスクであるとの前提にたった主張であり、引用例発明を必要以上に狭く解釈するものである。引用例発明に記載された光ディスクが再生データとしてオーディオデータのみを有することを許容するものであることは上記「３．対比」の（１）で述べたとおりである。また、上記「４．判断」で述べたように、いわゆるＤＶＤがオーディオデータ用途としても用いられることや、高音質なディジタルオーディオを得ることがディジタルオーディオの技術分野における普遍的な課題であって、サンプリング周波数を高くすることが高音質なディジタルオーディオを得る手段の一つであることは、いずれも当業者間の周知事項であり、これらは引用例発明に記載された光ディスクから本願補正発明に係る「ＤＶＤオーディオディスク」を想到するための有力な動機付け又は、示唆・教示に他ならない。
　よって、審判請求人の主張は当を得ておらず、採用することができない。
　
　そして、上記相違点を総合して判断しても、本願補正発明の奏する効果は、引用例発明及び周知技術から当業者が十分に予測できたものであって、格別のものとはいえない。
　
　したがって、本願補正発明は、本願優先日前に頒布された引用例に記載された発明に基づいて周知技術を勘案することで当業者が容易に発明をすることができたものであるから、特許法第２９条第２項の規定により、特許出願の際独立して特許を受けることができないものである。
　
５．本件補正についてのむすび
　以上のとおり、本件補正は、平成１８年改正前特許法第１７条の２第５項において準用する同法第１２６条第５項の規定に違反するものであるから、特許法第１５９条第１項の規定において読み替えて準用する同法第５３条第１項の規定により却下すべきものである。
　
第３　本願発明について
１．本願発明
　平成１６年１０月２７日付け手続補正は上記のとおり却下されたので、本願の請求項１乃至２１に記載された発明は、平成１６年２月２日付け手続補正書によって補正された明細書及び図面の記載からみて、その特許請求の範囲の請求項１乃至２１に記載された事項により特定されるものであるところ、その請求項１に記載された発明（以下、「本願発明」という。）は上記「第２　１．（ａ）」において本件補正前の請求項１として記載したとおりのものである。
　
２．引用例
　原査定の拒絶の理由で引用された引用例の記載事項は、上記「第２　２．」に記載したとおりである。
　
３．対比判断
　本願発明は、上記「第２」で検討した本願補正発明において、「ＤＶＤオーディオ領域」についての限定事項である「オーディオタイトル（ＡＴＳ）とオーディオ管理（ＡＭＧ）とを含み」を省き、「オーディオタイトル（ＡＴＳ）」についての限定事項である「前記ＡＯＢｓのオーディオタイトルセットメニューと、多数のデータセルを含むＡＯＢｓのオーディオタイトルセットタイトルとを備え、前記複数のセルはＡＯＢｓを含み」を省き、「オーディオ管理（ＡＭＧ）」についての限定事項である「前記ＡＴＳに対する制御データを有するオーディオ管理情報(ＡＭＧＩ)と、前記ＡＴＳのＡＯＢｓに対するオーディオ管理メニューファイルとを備え」を省き、「量子化ビット数」についての限定事項である「１６ビット、２０ビット、２４ビットのうちいずれか一つの量子化ビット数」を数値限定をなくして「第１あるいは第２あるいは第３の量子化ビット数」とし、「サンプリング周波数」についての限定事項である「４８ＫＨｚ、９６ＫＨｚ、１９２ＫＨｚ、４４．１ＫＨｚ、８８．２ＫＨｚ、１７６．４ＫＨｚのうちいずれか一つのサンプリング周波数」を１９２ＫＨｚ以外の数値限定をなくして「第１あるいは第２あるいは第３あるいは第４あるいは第５あるいは第６のサンプリング周波数」「前記第１から第６のサンプリング周波数のうちの一つは１９２ＫＨｚである」としたものである。
　そうすると、本願発明を特定するために必要な事項を全て含み、さらに他の事項を付加したものに相当する本願補正発明が、上記「第２　３．」「第２　４．」に記載したとおり、引用例に記載された発明に基づいて周知技術を勘案することで当業者が容易に発明をすることができたものであるから、本願発明も、同様の理由により、引用例に記載された発明に基づいて周知技術を勘案することで当業者が容易に発明をすることができたものである。
　
４．むすび
　以上のとおり、本願の請求項１に係る発明は、その優先日前に日本国内又は外国において頒布された刊行物に記載された発明に基づいて当業者が容易に発明をすることができたものであるから、特許法第２９条第２項の規定により特許を受けることができない。
　したがって、本願は、その余の請求項に論及するまでもなく、拒絶すべきものである。
　
　よって、結論のとおり審決する。